(57)【要約】【課題】樹脂製フイルム袋の資源を再利用し、家庭内で発生するゴミ、特に厨房内で発生する生ゴミの見た目、衛生面、臭気を防ぎ、且つ、手を汚さず、捨て易く、快適なゴミ箱を提供する。【解決手段】ゴミ箱構造に開閉機能を付与することにより、樹脂フイルム袋の特性である形状保持の難しいゴミの投入口の開口保持を可能にし、ゴミ箱の閉口も可能にした。【選択図】図１
2009062122.tif 000002
【特許請求の範囲】
【請求項１】
ゴミ箱として使用される樹脂製フイルム袋開口部分に開閉を可能にする板もしくは棒形状体を設けたことを特徴とする開閉装置付きゴミ箱である。
【請求項２】
ゴミ箱として使用される樹脂製フイルム袋開口部分に設けられた開閉を可能にする板もしくは棒形状体は片端部同士が接続され、概接続部分は開閉の為の兆番機能を有し、開口時はL字型をなし、閉口時は一文字の型をなすことを特徴とする請求項１記載の開閉装置付きゴミ箱である。
【発明の詳細な説明】
【技術分野】
【０００１】
本発明は家庭ゴミのゴミ容器に係り、特にシステムキッチンで使用するに好適な厨房用
ゴミ容器に関するものである。
【背景技術】
【０００２】
樹脂製フイルム袋を再利用する従来のゴミ箱は図７に示すように開口部が開いたままの状態で吊るして使用されるか、図８に示すように、ゴミ箱を床置きにして使用するものとがあるが、いずれも開閉蓋が無い。図９で示すように、実際に厨房で一般的使用されている床置きゴミ箱の殆どのものは蓋付きになっている。
【特許文献１】特開平０９−２９０９０１号公報
【特許文献２】特開２００３−１８２８０１号公報
【特許文献３】特開２００３−２２６４０３号公報
【発明の開示】
【発明が解決しようとする課題】
【０００３】
樹脂製フイルム袋を吊り下げる形状のものは樹脂製フイルム袋の素材特性から開口部の開口保持が困難であり、ゴミを投入する際は片方の手で開口部の開口を保持していなければならない。特に生ゴミの場合は生ゴミに両手を使用することができず、手・神経ともに樹脂製フイルム袋の開口保持と生ゴミとに分散しなければならず、生ゴミからの汁などで樹脂製フイルム袋周囲の床を汚してしまう場合がある。一方、図７にある樹脂製フイルム袋開口部が常に開口されたままの閉口機能を有さない形状ゴミ箱はゴミが常に露出した状態であり、見た目にも、衛生面、臭気の点でも問題がある。又、開口部の形状は常に出っ張ったままであり、キッチン作業に邪魔になることから、ゴミ箱装置はシステムキッチンの扉の内側に設置されているものも多く、ゴミ投入の際は扉を開けたままで使用するか、一回々ゴミ投入の都度、扉を開けなければならない面倒がある。床置きタイプの場合は場所をとり狭いキッチン作業の邪魔になり、生ゴミの場合、システムキッチンシンクの高さから距離的に低く離れる為、生ゴミ投入時に生ゴミからの汁が床に落ち、床を汚す場合がある。そこで、この発明は、樹脂製フイルム袋を再利用し、場所をとらず、システムキッチンシンクの高さの距離に近づけ、生ゴミ投入時にもゴミ箱の投入開口部の開口を広く保持し、生ゴミを捨て易くし、ゴミ箱を使用しない時は開口部を閉じ、袋の中のゴミが露出せず、衛生面、臭気の点にも対策を施した開閉装置付きゴミ箱を提供することを課題とする。
【課題を解決するための手段】
【０００４】
以上の課題を解決するために、第一発明はゴミ箱として使用される樹脂製フイルム袋開口部分に開閉を可能にする板もしくは棒形状体を設けたことを特徴とする開閉装置付きゴミ箱である。第二発明は、ゴミ箱として使用される樹脂製フイルム袋開口部分に設けられた開閉を可能にする板もしくは棒形状体は片端部同士が接続され、概接続部分は開閉の為の兆番機能を有し、開口時はL字型をなし、閉口時は一文字の型をなすことを特徴とする請求項１記載の開閉装置付きゴミ箱である。
【発明の効果】
【０００５】
第一発明によれば、樹脂製フイルム袋の再利用を可能にし、樹脂製フイルム袋の開口部の開閉をなし、樹脂製フイルム袋の閉口時はゴミが露出せず、見た目に良く、ハエなどの侵入を防ぎ、衛生的にも良く、臭気も防ぐことにより、システムキッチンの外側に取り付ける効果をもたらした。第二発明によれば、L字構造は生ゴミ投入時に樹脂製フイルム袋の開口部を大きく保持させ、ゴミ投入をし易くし、開口部保持に片一方の手を使う必要がない為、生ゴミに両手が使用でき、生ゴミに神経が集中できることから生ゴミから出る汁の垂れこぼしから、周囲の床を汚すことを防ぐ効果をもたらした。第一、第二発明により、開閉装置付きゴミ箱はシンプル・コンパクトな形状をなし、キッチン作業時に邪魔にならず、キッチンキャビネットの外側のキッチンシンクの高さに近接させた設置はゴミの投入を容易にする効果をもたらし、本体材料を少なく構成部品を少なくなし、生産コスト低減の効果をもたらした。
【発明を実施するための最良の形態】
【０００６】
この発明の一実施形態を図面に基づいて詳細に説明する。図１は本発明に係る開閉装置付きゴミ箱の形態を示す斜視図、図２は開閉装置付きゴミ箱開口時の上から見た形態を示す図、図３は本発明に係る開閉装置付きゴミ箱の正面の形態を示す展開図、図４は本発明に係る開閉装置付きゴミ箱に樹脂製フイルム袋を装着した開口時の形態を示す実施形態斜視図、図５は本発明に係る開閉装置付きゴミ箱に樹脂製フイルム袋を装着した閉口時の形態を示す実施形態正面図、図６は本発明に係る開閉装置付きゴミ箱の一形態を示す斜視図、
図７〜９は背景技術の実施例である
【０００７】
図１に示す開閉装置付きゴミ箱は図４斜視図にあるシステムキッチンキャビネット扉９の外側に係止目部５により設置され使用される。本体１の端部３aと本体２の端部３bが接合することにより本体１に本体２は固定保持されるが、同時に端部３aと端部３bの接合により兆番機能を有する。
【０００８】
図２に示す開閉装置付きゴミ箱の図は本体１の端部３aと本体２の端部３bとの接合することによる兆番機能により、開閉装置付きゴミ箱開口時の上部から見た形態図を示す。
【０００９】
図３に示す開閉装置付きゴミ箱の図は単純な構造と少ない部品から構成されている正面展開図を示す。
【００１０】
図４に示す開閉装置付きゴミ箱の図は本体１がシステムキッチン扉９に係止目部５により設置され、樹脂製フイルム袋８の取っ手部が係止目部４に取り付けられ、開口時の実施形態を示す斜視図を示す。
【００１１】
図５に示す開閉装置付きゴミ箱の図は本体１がシステムキッチン扉９に係止目部５により設置され、樹脂製フイルム袋８の取っ手部が係止目部４に取り付けられ、閉口時に本体２がストッパー６に止められた実施形態を示す正面図を示す。
【００１２】
図６に示す開閉装置付きゴミ箱の図は同機能ではあるが、2本の線状材料から2個の部品で構成された斜視図を示す。
【００１３】
図７，８，９はいずれも樹脂フイルム袋を使用する本発明に係る背景技術の実施例を示している。図７はシステムキッチン扉の内側に取り付けられた閉口機能のない樹脂製フイルム袋使用のゴミ箱の斜視図を示し、図８は閉口機能が無い、袋の開口部を保持する機能の床に置いて使用するゴミ箱の斜視図を示し、図９は閉口機能（蓋）付きの床に置いて使用する樹脂フイルム袋を使用するゴミ箱の斜視図を示す。
【００１４】
「実施形態の効果」
この実施形態によれば、樹脂製フイルム袋の再利用を可能にし、使い易さの点で特に生ゴミ投入口のキッチンシンクとの高さ位置を近くすることができ、キッチン作業をし易くし、ゴミ投入時に樹脂素材特性から来る開口部の開口保持の難しさを解消し、ゴミ箱を使用しない時は閉口しておく機能により、閉口時は見た目に良く、ハエなどの侵入を防ぎ、衛生的にも良く、臭気も防ぎ、出っ張りも少なくする効果をもたらす。特に生ゴミ投入時でのゴミ箱開口保持機能は開口保持に片一方の手を使用する必要がなく、生ゴミに両手・神経が集中して使用できることから生ゴミから出る汁垂れによる床汚れを防ぐ効果をもたらす。又、この実施形態ゴミ箱は少ない素材と少ない構成部品により生産コストを削減し、安価な製品の提供を可能にする効果をもたらす。
【００１５】
図１に示す、樹脂フイルム袋の取っ手のある形状と形を保持し難い反面、最小体積にたためる特性を生かすゴミ箱構造は樹脂フイルム袋の資源再利用の効果をもたらし、ゴミ箱構造を単純化することにより、樹脂フイルム袋の取っ手部分の吊り下げ、開口部の開閉操作を容易にする効果をもたらした。端部３aと端部３bの接合による兆番機能はゴミ投入時に樹脂フイルム袋の開口部の開口保持を可能にし、生ゴミ投入時でのゴミ箱開口保持機能は開口保持の為に片一方の手を使用する必要はなく、生ゴミに両手・神経が集中して使用できることから生ゴミから出る汁垂れによる床汚れを防ぐ効果をもたらした。
【００１６】
図２に示す、ゴミ箱構造は開口時の本体構造であり、開口部の本体１と本体２ともに長く、樹脂フイルム袋投入口に広い面積を確保し、ゴミ投入を容易にする効果をもたらした。
【００１７】
図３に示す、ゴミ箱構造は少ない素材と少ない構成部品により生産コストを低減し、安価な製品の提供を可能にする効果をもたらした。
【００１８】
図４に示すL字ゴミ箱構造はシステムキッチン扉の外側に設置させ、生ゴミ投入口の設置高さ位置をキッチンシンク接近させ、樹脂フイルム袋の取っ手を縦（本体２）横（本体１）両方向に吊り下げることにより、重量バランスを安定化させ、ゴミ投入口の広い開口と保持を可能にし、ゴミ投入を容易にする効果をもたらした。
【００１９】
図５に示す、樹脂フイルムの最小体積にたためる特性を生かしたゴミ箱構造は兆番３aと３bにより、閉口を可能にし、本体２とストッパー６により閉口保持を可能にし、閉口時の見た目に良く、ハエなどの侵入を防ぎ、衛生的にも良く、臭気も防ぎ、出っ張りも少なくする効果をもたらした。
【００２０】
図６に示す、開閉装置付きゴミ箱の図は同様の機能ではあるが、2本の線状材料から2個の部品で構成されており、少ない素材と少ない構成部品により生産コストを削減し、安価な製品の提供を可能にする効果をもたらした。
【００２１】
「他の実施形態」
図６に示すゴミ箱構造も本発明による機能は同様であるが、多少の形状の違いは可能であり、素材についてもプラスチックなどで素材にこだわらず製作することは可能である。
【図面の簡単な説明】
【００２２】
【図１】は本発明に係る開閉装置付きゴミ箱の形態を示す斜視図。
【図２】は本発明に係る開閉装置付きゴミ箱の上から見た形態を示す図
【図３】は本発明に係る開閉装置付きゴミ箱の側面の形態を示す展開正面図
【図４】は本発明に係るの実施の形態を示す斜視図
【図５】は本発明に係るの実施の形態を示す正面図
【図６】は本発明に係る開閉装置付きゴミ箱の形態を示す斜視図。
【図７】は本発明に係る背景技術のゴミ箱開閉装置形態を示す斜視図
【図８】は本発明に係る背景技術のゴミ箱開閉装置形態を示す斜視図。
【図９】は本発明に係る背景技術のゴミ箱開閉装置形態を示す斜視図
【符号の説明】
【００２３】
１ゴミ箱開閉装置本体
２ゴミ箱開閉装置本体（蓋部）
３a兆番（軸受け部）
３b兆番（軸部）
４係止目部（樹脂製フイルム袋の吊るす部分）
５係止目部（システムキッチンキャビネット扉用）
６ストッパー
７取っ手
８樹脂製フイルム袋
９システムキッチンキャビネット扉
【図１】
2009062122.tif 000003
【図２】
2009062122.tif 000004
【図３】
2009062122.tif 000005
【図４】
2009062122.tif 000006
【図５】
2009062122.tif 000007
【図６】
2009062122.tif 000008
【図７】
2009062122.tif 000009
【図８】
2009062122.tif 000010
【図９】
2009062122.tif 000011